【誤訳訂正書】
【提出日】平成23年2月7日(2011.2.7)
【誤訳訂正１】
【訂正対象書類名】特許請求の範囲
【訂正対象項目名】全文
【訂正方法】変更
【訂正の内容】
【特許請求の範囲】
【請求項１】
光学装置に使用される正孔輸送ポリマーの製造のための重合単位の製造方法であって、次の反応を含む。
【化１】
2008525564.tif 000001
各Ｒは同じか異なり、独立してＨ又は置換基であり、ｎは、０又は１ないし１００までの整数であり、Ａｒ及びＡｒ’は同じか異なり、それぞれ、置換又は未置換の芳香族又は複素芳香族基であり、Ｙは直接結合、発光部、正孔輸送部又は電子輸送部であり、Ｘは重合可能基である方法。
【請求項２】
各Ａｒはフェニル基である請求項１に記載の方法。
【請求項３】
ｎは整数であり、各Ａｒ’基はフェニル基である請求項１又は２に記載の方法。
【請求項４】
各Ｒは、アルキル、ヘテロアルキル、ペルフルオロアルキル、アルキアリール、アリールアルキル、ヘテロアリール、アリール、アルコキシ、チオアルキル又はシアノであるか、又は他のＲと環を形成する請求項１ないし３のいずれかに記載の方法。
【請求項５】
少なくともいくつかのＲ基は、有機溶媒中の溶解度を高める可溶性基である請求項１ないし４のいずれかに記載の方法。
【請求項６】
少なくともいくつかのＲ基は、発光置換基、正孔輸送置換基及び電子輸送置換基から選択される請求項１ないし５のいずれかに記載の方法。
【請求項７】
前記重合可能基は、スズキ反応、ヤマモト反応、Ｇｉｌｃｈ反応、Ｓｔｉｌｌｅ反応又はＨｅｃｋ反応における反応を行うことができる請求項１ないし６のいずれかに記載の方法。
【請求項８】
前記重合可能基は、スズキ反応における反応を行うことができ、反応性硫酸基又は反応性ハロゲン基を含む請求項７に記載の方法。
【請求項９】
前記重合可能基は、ヤマモト反応における反応を行うことができ、ハロゲン基を含む請求項７に記載の方法。
【請求項１０】
前記重合可能基は、Ｇｉｌｃｈ反応における反応を行うことができ、ハロメチル基を含む請求項９に記載の方法。
【請求項１１】
ＹはＡｒ1−Ｎ−Ａｒ2を含む正孔輸送部位であり、Ａｒ1又はＡｒ2は同じか異なり、それぞれ置換されるか又はされない芳香族又は複素芳香族基であり、Ａｒ2は重合可能基を有する請求項１ないし１０のいずれかに記載の方法。
【請求項１２】
Ｙは、
【化２】
2008525564.tif 000002
であり、Ｒ’は、Ｈ又はポリマーの溶解性又は電子特性を変えるための基である請求項１１に記載の方法。
【請求項１３】
光学装置に使用するための正孔輸送ポリマーの製造方法であって、請求項１ないし１２のいずれかに記載の方法により重合単位を製造すること、及び、選択的に少なくとも１つの他の重合単位の存在の下で前記重合単位を重合することを含む方法。
【請求項１４】
前記少なくとも１つの他の重合単位は、発光単位、正孔輸送単位又は電子輸送単位を含む請求項１３に記載の方法。
【誤訳訂正２】
【訂正対象書類名】明細書
【訂正対象項目名】全文
【訂正方法】変更
【訂正の内容】
【発明の詳細な説明】
【発明の名称】光学装置及びその製造方法
【技術分野】
【０００１】
本発明は、光学装置、そのための正孔輸送ポリマー及び重合単位からの前記ポリマーの製造方法に関するものである。本発明は、さらに、前記重合単位の製造プロセスにも関係する。
【背景技術】
【０００２】
有機発光装置は、通常、カソード、アノード及び前記カソードとアノードの間の有機発光領域を有する。発光有機材料は、ＵＳ４５３９５０７号に記載されるような低分子材料又はＰＣＴ／ＷＯ／１３１４８号に記載されるようなポリマー材料を含むことができる。電子及び正孔は結合して光子を生成する。
【０００３】
有機起電装置は、通常、カソード、アノード及び前記カソードとアノードの間の有機光応答領域を含む。このような装置は、ＷＯ９６／１６４４９に記載されている。光応答領域は、光を吸収して１対の電子と正孔を生成し、これらが電極へ移動することで、電子装置を駆動するために使用される電流を形成する。
【０００４】
図１は、光学装置の典型的な断面構造を示す。この装置は、通常、インジウム錫酸化物（ＩＴＯ）層のような透明なアノード２で被覆されたガラス又はプラスチックの透明基板１上に形成される。ＩＴＯ被覆基板は、光応答又は電子発光有機材料３、並びに選択的にアルミニウムのキャップ層（図示しない）を伴うカルシウムのような低仕事関数の金属が適用されるカソード材料４で被覆される。他の層、例えば、電極と光応答又は光発光材料の間の電荷輸送を改良するための層を加えることができる。示された装置は電極に接続された電源を有する発光装置である。光起電装置においては、装置を駆動するために電極が接続される。
【０００５】
電子発光及び光起電装置によく使用される電荷輸送層はアノードと発光又は光応答領域の間に位置する正孔輸送層である。この層は、アノードから発光又は光応答領域へ正孔を輸送する。ポリエチレンジオキシチオフェン（ＰＥＤＯＴ）は、アノードにおけるインジウム錫酸化物と発光層としてのＰＰＶの間のエネルギーレベルを提供する層として使用される。ＰＥＤＯＴはＥＰ０６８６６６２に開示されている。ＰＥＤＯＴは、電子高濃度のポリチオフェンであり、したがって、正孔輸送ポリマーとして有益である。
【０００６】
光学装置の発光領域への正孔及び電子の輸送はＷＯ００／５５９２７に開示されている。この開示によれば、複数層装置において、区別された層から形成される正孔輸送及び／又は電子輸送領域ではなく、単一のポリマーの中に正孔輸送及び／又は電子輸送領域の１又は両者が形成される。ターチオフェン単位を含む多様な低分子繰返し単位がこの構造の使用のために提案されている。しかしながら、この手法はモノマー単位の利用性及び上述した方法による重合の可能性によって限定されている。チオフェン濃度の高いポリマーの合成ルートは記載されていない。
【０００７】
光学装置の分野以外においては、分岐トリフルオロメチル基を有するポリアリーレンが、Ｂａｎｅｒｊｅｅ ｅｔ  ａｌ  ｉｎ  Ｐｏｌｙｍｅｒｉｃ  Ｍａｔｅｒｉａｌｓ  Ｓｃｉｅｎｃｅ  ａｎｄ  Ｅｎｇｉｎｅｅｒｉｎｇ  （１９９９），８０，９８−９９に記載されている。高い機械的強度に有用な堅いロッドのポリマーが記載されている。多くのトリアリールモノマーが、４−クロロ−３−トリフルオロメチルフェニルボロン酸とジブロモベンゼン、ピリジン及びチオフェン化合物のパラジウム触媒による架橋カップリングで合成された。これらのモノマーはポリマーを形成するために合成された。
【特許文献１】欧州特許０６８６６６２号明細書
【特許文献２】国際公開００／５５９２７号パンフレット
【発明の開示】
【発明が解決しようとする課題】
【０００８】
光学装置に使用される新規な正孔輸送ポリマーの用意が必要とされる。したがって、第１の側面において、本発明は、光学装置に使用される正孔輸送ポリマーの製造のための重合単位の製造プロセスを提供する。
【課題を解決するための手段】
【０００９】
本発明のプロセスは次の反応を含む。
【化１】
2008525564.tif 000003
各Ｒは同じか異なり、独立してＨ又は置換基である。ｎは、０又は１ないし１００までの整数である。Ａｒ及びＡｒ’は同じか異なり、それぞれ、置換又は未置換の芳香族又は複素芳香族基である。Ｙは直接結合、発光部、正孔輸送部又は電子輸送部であり、Ｘは重合可能基である。
【００１０】
重合単位の製造に続いて、正孔輸送ポリマーであるホモポリマーを形成するために重合されるか、又は正孔輸送コポリマーを形成するために少なくとも１つの他のポリマー単位と重合される。したがって、正孔輸送ポリマーの製造のための新しい合成ルートが本発明によって提供される。ポリマーへの官能基の導入は、重合単位へ官能基を組み込み、次いで、これを重合することによってなされる。これは、可溶性、発光、光起電装置の使用のための光活性性、電子輸送特性又はさらなる正孔輸送特性のような他の有益な特性を有する広い範囲の正孔輸送ポリマーが製造されるのを可能にする。
【００１１】
Ｘ基は、ポリマーの製造を可能にする反応基である重合可能基である。この基は同じ構造の他の異なる重合単位と反応させることによってホモポリマーを形成することができ、他の異なる重合単位と反応させることによってコポリマーを形成することができる。反応物は、各分子同じＸ基を有することができ、或いは、あるものは第１の重合可能基（例えば、Ｂｒ）及び他のものは異なる重合可能基（例えば、ボロン誘導体）を有する反応物の混合として存在する。通常の重合可能基は、選択的に触媒の存在下、他のモノマー上の重合可能基と直接反応するものである。好ましくは、重合可能基は、スズキ反応、ヤマモト反応、Ｇｉｌｃｈ反応、Ｓｔｉｌｌｅ反応又はＨｅｃｋ反応を行うことができる。
【００１２】
共役ポリマーの製造へのスズキ反応の適用は、ＷＯ００／５３６５６に記載されており、その内容は、引用文献として本明細書に組み込まれる。共役ポリマーは、（ａ）ボロン酸基、ボロンエステル基及びボラン基から選択される少なくとも２つの反応性ボロン誘導基を有する芳香族モノマー、及び、少なくとも２つの反応性ハロゲン官能基を有する芳香族モノマーの反応混合物、または、（ｂ）１つの反応性ハロゲン官能基を有する芳香族モノマー、及び、ボロン酸基、ボロンエステル基及びボラン基から選択される１つの反応性ボロン誘導基の反応混合物、を重合することによって製造される。反応混合物は、パラジウム触媒の触媒量、及び反応性ボロン誘導基を−Ｂ（ＯＨ）3アニオンに変換させるに十分な量の有機塩基を含む。重合性基は、反応性ハロゲンを含んでいてもよい。トシレート基のような反応性硫酸基はスズキ反応に使用することができる。
【００１３】
ヤマモト反応は、ジブロミドモノマーのニッケル媒介カップリングを含む重合である。これは、“Ｍａｃｒｏｍｏｌｅｃｕｌｅ”，３１，１０９９−１１０３（１９９８）に記載されている。したがって、重合可能基は臭素のようなハロゲンを含むときヤマモト反応の反応を行うことができる。
【００１４】
重合可能基がＧｉｌｃｈ反応の反応をできるとき、ハロメチル基を含む。光学装置のためのポリマーの形成に使用されるＧｉｌｃｈ反応の例は、特に、前躯体ポリマーがＧｉｌｃｈ反応を使用してモノマーから形成される場合がＥＰ０５４４７９５に開示されている。
【００１５】
Ｈｅｃｋ反応は、通常、ビニル機能とアリール又はアルキルハロゲンの間のパラジウム触媒反応を含む。したがって、Ｈｅｃｋ反応のための重合可能基は、ビニル又はハロゲン基である。
【００１６】
Ｓｔｉｌｌｅ反応は、通常、パラジウム触媒置換及び有機スズを含む付加である。Ｓｔｉｌｌｅ反応における重合可能基は、スズ酸塩又はヨウ素のようなハロゲンである。
【００１７】
Ａｒ及びＡｒ’基は、同じか異なり、それぞれ芳香族又は複素芳香基である。各基はポリマー主鎖に沿った共役を保持するための芳香族であることが好ましく、各芳香族基はフェニル基であることが好ましい。複素芳香族基は、ピリジン及びピリミディジンのような窒素含有芳香環を含む。芳香族及び複素芳香族基は置換されるか又はされない。置換されるときは、置換基は、反応プロセス又は重合のプロセスを干渉しない立体的及び電子特性を有さなければならない。置換基は、正孔輸送ポリマーのバンドギャップを変えるか、又は重合単位が重合されるとポリマーの溶解特性を変えることができる。
【００１８】
このような置換基としては、アルキル、ヘテロアルキル、ペルフルオロアルキル、アルキアリール、アリールアルキル、ヘテロアリール、アリール、アルコキシ、チオアルキル又はシアノ置換基が挙げられる。
【００１９】
本発明のＲ基は、多くの異なる機能を果たすために選択され得る。通常、各Ｒはアルキル、ヘテロアルキルアリール又はヘテロアリールであり、他のＲ基と環を形成することができる。Ｒ基は溶解性基であり、例えば、有機溶媒中の重合単位及び／又は正孔輸送ポリマーの溶解性を増大させる。非極性溶解性基がこの役割のために好ましい。このような基としては、アルキル、ヘテロアルキル、ペルフルオロアルキル、アルキアリール、アリールアルキル、ヘテロアリール、アリール、アルコキシ、チオアルキル又はシアノ基が挙げられる。
【００２０】
Ｒ基は、正孔輸送ポリマーに１又は２以上の追加の特性を与える機能を有することができる。例えば、Ｒ基は、発光置換基、正孔輸送置換基及び電子輸送置換基から選択されることができる。これらの置換基は、それぞれ、重合単位から形成されると正孔輸送ポリマーの特性の一部を果たすことができる。
【００２１】
発光置換基の中には蛍光性又は燐光性側鎖が含まれ得る。適切な燐光性側鎖は、トリス（２−フェニルピリジン）イリジウム（ＩＩＩ）又はビス［２−（２’−ベンゾチエニル）ピリジナート−Ｎ，Ｃ2’］アセチルアセトナートイリジウム（ＩＩＩ）のような燐光性金属キレートを含む。
【００２２】
Ｒ基は、通常、トリアリールアミンのような電子高濃度側基である正孔輸送置換基であり得る。電子輸送置換基が組み込まれる。これらＲ基は、ベンゾチアジアゾールを含む。
【００２３】
Ｙについては、最も単純な実施態様においては、ＹはＡｒ基を重合可能基に結合する直接結合である。Ｙは、また、重合単位が正孔輸送ポリマーを形成するために重合されると、ポリマー主鎖の一部を形成する機能部となることができる。この場合、この部位は正孔輸送ポリマーの特性に直接的な関係を与える。Ｙは、ポリマーが光学装置に使用されるときポリマーにこれらの機能を与える発光部位、正孔輸送部位及び電子輸送部位から選択されることができる。
【００２４】
発光部位は共役芳香族区域を有することができる。
【００２５】
正孔輸送部位はトリアリールアミンを有することができる。
【００２６】
電子輸送部位はベンゾチアジアゾールを有することができる。
【００２７】
それぞれの場合において、Ｙ部位は、正孔輸送ポリマーを形成するための重合単位の形成又は重合単位の重合に干渉をする必要はない。
【００２８】
好ましい実施態様によれば、Ｙは、電子高濃度の正孔輸送部位である。好ましくは、Ｙは、Ａｒ1−Ｎ−Ａｒ2を含み、Ａｒ1及びＡｒ2は、同じか異なり、それぞれ置換又は未置換の芳香族又は複素芳香基であり、Ａｒ2は、重合可能基を有する。
【発明を実施するための最良の形態】
【００２９】
本発明のこの実施態様において、Ｙは次の一般式を有することが好ましい。
【化２】
2008525564.tif 000004
この実施態様によれば、重合単位のＡｒ基はＹ基の窒素に付着してトリアリールアミンを形成し、重合可能基はパラ−置換基としてＡｒ2フェニル基に付着される。Ｒ’は、アルキル、ヘテロアルキル、ペルフルオロアルキル、アルキアリール、アリールアルキル、ヘテロアリール、アリール、アルコキシ、チオアルキル又はシアノである。Ｒ’は、モノマーを溶解することができ、バンドギャップを変形する。これによって製造される重合単位は正孔輸送ポリマーに使用される特に有益な正孔輸送成分である。重合単位は、好ましくは、次のように形成される。
【化３】
2008525564.tif 000005
このようにして、特に電子高濃度で、本質的に酸化可能で、低いバンドギャップの材料が製造されることができる。
【００３０】
重合単位は、モノマー、オリゴマー又はポリマーであることができる。これは、ｎの値に依存する。ｎが０のとき、第１の反応物は次のとおりである。
【化４】
2008525564.tif 000006
最も単純な形においては、ＲがＨであり、重合可能基Ｘが存在しない場合は、これはスチレンから２，５−ジフェニルチオフェンの合成となる。これは、Ｂａｕｍａｎｎ−Ｆｒｏｍｍ反応として知られ、１８９５年にＢａｕｍａｎｎとＦｒｏｍｍによって最初に報告された。
【００３１】
ｎが１ないし１００の整数であるとき、重合単位はオリゴマー又はポリマーとなる。ｎは好ましくは２０であり、より好ましくは１０、最も好ましくは５である。ここで、第２の反応物
【化５】
2008525564.tif 000007
は硫黄及び第１の反応物と反応し、重合単位においてｎ＋１のチオフェン環を生成する。第２の反応物の各Ｒ基は第１の反応物のＲ基と独立して同じか異なり、独立してＨ又は上記で定義される置換基である。Ｒ基が互いに異なる場合、重合単位の混合物は製造される。混合物のチオフェン環の置換のパターンは、いかに反応物が互いに反応するかに応じて、Ｒ基の重合単位の統計的な分配を有する。このようにして、重合単位の形成に干渉は生じない。この実施例に基づいて、重合可能基が好ましくはＢｒである次の反応が生じることができる。
【化６】
2008525564.tif 000008
したがって、本発明に基づいて、反応物の適切な選択は、正孔輸送ポリマーに正孔輸送機能に加えて、異なる機能を与える。上記のように、発光機能又は電子輸送機能を含むこれらの機能は、重合単位に存在する側鎖置換基の使用により、又は重合単位が重合されるとポリマー主鎖の一部を形成する重合単位中の主鎖部位の使用によって与えられる。
【００３２】
正孔輸送ポリマーの製造の過程においては、コポリマーを形成するために少なくとも１つの他の重合単位の存在のもとに重合単位が重合される。これは、追加の機能単位が正孔輸送ポリマーに組み込まれる他の方法を提供する。少なくとも１つの他の重合単位は、発行単位、正孔輸送単位あるいは電子輸送単位を含んでも良い。適切な発光単位の中から、共役芳香族区域が選択される。適切な正孔輸送単位の中から、トリアリールアミンが選択される。適切な電子輸送単位の中から、ベンゾチアジアゾールが選択される。
【００３３】
本発明の他の側面に基づいて、光学装置の使用のために正孔輸送ポリマーの製造のために一般式Ｉの重合単位の使用が提供される。この式において、各Ｒは同じか異なり、独立してＨ又は置換基である。ｎは０又は１ないし１００までの整数である。Ａｒ及びＡｒ’は同じか異なり、それぞれチオフェンではなく芳香族基又は複素芳香族基であり、置換されるか又は置換されない。Ｙは直接結合、発光部位、正孔輸送部位又は電子輸送部位である。Ｘは重合可能基である。
【００３４】
他の側面において、本発明は光学装置に使用される正孔輸送ポリマーを提供し、このポリマーは次の繰返し単位及び選択的に少なくとも１つの他の繰返し単位を有する。
【化７】
2008525564.tif 000009
ポリマーは本明細書で定義されるプロセスによって得られる。Ａｒ及びＡｒ’は同じか異なり、それぞれチオフェンではなく芳香族基又は複素芳香族基で、置換されるか又は置換されない。通常、正孔輸送ポリマー多くの基の選択は、ポリマーのバンドギャップが発光装置におけるアノードの仕事関数と発光層のＨＯＭＯエネルギーレベルの間に適切に適合するレベルである。
【００３５】
他の側面において、本発明は、２つの電極間に位置する本明細書で記載した正孔輸送ポリマーを含む半導体ポリマー領域を有する光学装置を提供する、このような光学装置は電子発光装置又は光起電装置を提供する。他の装置はセンサー及びトランジスターを含む。
【００３６】
光学装置が電子発光装置である場合、正孔輸送ポリマーがそれ自体発光ポリマーであるかどうかに応じて、発光材料の他の領域が正孔輸送ポリマーとカソードの間に位置する。選択的に、電子輸送層が発光層とカソードの間に位置される。光起電装置において、光応答領域が発光領域に取って代わる。
【００３７】
このような光学装置の製造プロセスも提供される。このプロセスは、本明細書で記載される光学装置を得るために、装置の各層又は各領域を堆積する工程をさらに含む。
【００３８】
一般的に言って、重合単位の製造プロセスが下記にように実行される。
【００３９】
目的のオレフィン約５５ｍｍｏｌが硫黄元素８９９ｍｍｏｌと共に、コイル式凝縮器を有する丸底フラスコ中で２４０℃まで加熱され、油浴を使用して加熱された。この温度に達せられるとき、２つの漂白トラップ及びＮａＯＨトラップを使用して、気体Ｈ2Ｓが放出される。約４時間後、泡立ちが終了し、反応の終了を知らせる。次いで、茶色の固体が反応混合物から除去され、この反応混合物は多くの溶媒から再結晶され、目的のモノマーを生成する。
【００４０】
実施例
ビス−２，５（４−ブロモフェニル）チオフェンの製造
４−ブロモスチレン（１０ｇ，０．０５５モル）、硫黄（２．８６ｇ，０．０８９モル）が凝縮器を有するＲＢフラスコ中で加熱され、その後ナトリウムヒポクロライト（〜５００ｍｌ）で満たされた気体トラップに適用され、３番目に水酸化ナトリウム（〜１００ｍｌ）の溶液に満たされたトラップに適用された。
【００４１】
４−ブロモスチレンの沸点に達すると、全ての硫黄が溶解した（油浴温度１４０℃）。沸騰した４−ブロモスチレンの量は継続的に減少し、黄色から茶色の変色し、この時点で水凝縮器が切られた。〜２００℃において、溶液は沸騰を停止した。〜２１０℃において、気体の放出は硫化水素であると推定された。２３０〜２４５℃において、多くの量の気体が放出された硫化水素であると推定された。２４０〜２５０（油浴温度）の反応温度が３時間維持され（ガス放出が終わるまで）暗い固体が生成された。
【化８】
2008525564.tif 000010
【図面の簡単な説明】
【００４２】
【図１】典型的な光学装置の断面図を示す。
【符号の説明】
【００４３】
１  透明基板
２  アノード
３  光応答又は電子発光有機材料
４  カソード